(57)【要約】【課題】天井等の造営材に固定された取付部材に器具本体を固定する際、ユーザが器具本体を保持しなくても電線に引張力がかかることを抑制できるとともに照明器具を造営材に簡単に設置することができる照明器具を提供する。【解決手段】造営材（天井２等）に取り付けられる照明器具１であって、照明器具１を造営材に取り付けるための取付部材２００と、照明光を照射する光源１２０及び光源１２０を駆動する第１駆動ユニット１３０を有する器具本体１００と、第１駆動ユニット１３０は、造営材を介して供給される電力を伝送する電線４００により給電され、器具本体１００及び取付部材２００は、器具本体１００が取付部材２００に対して二枚貝状に開閉するように連結されている。【選択図】図８
2018133257.tif 000002
【特許請求の範囲】
【請求項１】
造営材に取り付けられる照明器具であって、
前記照明器具を前記造営材に取り付けるための取付部材と、
照明光を照射する光源及び前記光源を駆動する第１駆動ユニットを有する器具本体と、
前記第１駆動ユニットは、前記造営材を介して供給される電力を伝送する電線により給電され、
前記器具本体及び前記取付部材は、前記器具本体が前記取付部材に対して二枚貝状に開閉するように連結されている、
照明器具。
【請求項２】
前記器具本体は、前記光源を支持する支持部と、貫通孔が設けられ、前記支持部の周縁から立設する側壁部とを有する支持本体を有し、
前記取付部材は、端部に引っ掛け部が設けられた金属板を有し、
前記器具本体及び前記取付部材は、前記引っ掛け部が前記貫通孔に引っ掛けられることで二枚貝状に連結されている、
請求項１に記載の照明器具。
【請求項３】
前記側壁部には、第１ネジ孔及び第２ネジ孔が設けられ、
前記取付部材は、前記器具本体に連結される第１連結片及び第２連結片を有し、
前記第１連結片及び前記第２連結片は、対向する位置に設けられ、
前記第１連結片には、前記引っ掛け部及び第１ネジ孔が設けられ、
前記第２連結片には、第２ネジ孔が設けられ、
前記側壁部の前記第１ネジ孔及び前記第１連結片の前記第１ネジ孔には、第１ネジが挿入され、
前記側壁部の前記第２ネジ孔及び前記第２連結片の前記第２ネジ孔には、第２ネジが挿入される、
請求項２に記載の照明器具。
【請求項４】
前記側壁部の前記第１ネジ孔の内側面には、前記第１ネジが挿入される方向とは反対側に開口径が漸次大きくなるテーパ面が形成されており、
前記第１連結片には、前記第１連結片の前記第１ネジ孔の周縁から前記側壁部の前記第１ネジ孔に向かって突出する突出部が形成され、
前記器具本体が前記取付部材に対して閉じた状態のときに、前記突出部は、前記テーパ面に接して前記側壁部の前記第１ネジ孔に嵌め合わされている、
請求項３に記載の照明器具。
【請求項５】
前記引っ掛け部は、
前記器具本体が前記取付部材に対して開いた状態のときに前記貫通孔の内周面を受ける凹部と、
前記器具本体が前記取付部材に対して閉じた状態のときに前記側壁部の外面に当接する当接部と、
前記凹部及び前記当接部を連結し、前記凹部から一段ずれた位置に形成された第１板部とを有する、
請求項２〜４のいずれか１項に記載の照明器具。
【請求項６】
前記引っ掛け部は、さらに、前記凹部が前記貫通孔の内周面を受けているときに、前記側壁部の端部が当接する第２板部を有する、
請求項５に記載の照明器具。
【請求項７】
さらに、前記器具本体と前記取付部材とを連結する吊りヒモを備え、
前記吊りヒモは、前記器具本体が前記取付部材に対して開いた状態のときに、引っ張り力がかかっている、
請求項１〜４のいずれか１項に記載の照明器具。
【請求項８】
前記取付部材は、開口を有する取付カバーと、前記造営材に設置された引っ掛けシーリングに装着され且つ前記取付カバーの前記開口に取り付けられるアダプタと、前記取付カバーに固定される連結板とを有し、
前記器具本体は、前記連結板に対して二枚貝状に連結されており、
前記電線は、前記アダプタに接続されている、
請求項１〜７のいずれか１項に記載の照明器具。
【請求項９】
前記取付部材は、前記造営材に固定される取付板であり、
前記器具本体は、前記取付板に対して二枚貝状に連結されている、
請求項１〜７のいずれか１項に記載の照明器具。
【請求項１０】
前記器具本体は、さらに、イオンを生成するイオン生成ユニットと、前記イオン生成ユニットにより生成されたイオンを前記器具本体の外部に送風する送風ファンと、前記イオン生成ユニット及び送風ファンを駆動する第２駆動ユニットとを有する、
請求項１〜９のいずれか１項に記載の照明器具。
【発明の詳細な説明】
【技術分野】
【０００１】
本発明は、天井等の造営材に取り付けられる照明器具に関する。
【背景技術】
【０００２】
天井に取り付けられる照明器具として、シーリングライトが知られている。シーリングライトは、例えば、光源と、光源を駆動するための駆動ユニットと、光源を支持する器具本体と、光源を覆う透光カバーとを備える。また、室内の脱臭又は除菌等を行うために、イオン放出機能を備えたシーリングライトも提案されている（例えば特許文献１参照）。
【先行技術文献】
【特許文献】
【０００３】
【特許文献１】特開２０１０−２９５５２号公報
【発明の概要】
【発明が解決しようとする課題】
【０００４】
シーリングライトは、例えば、天井に固定された取付板（取付部材）を介して天井に設置される。このようなシーリングライトを天井に設置する場合、まず、ネジ等によって取付板を天井に固定して、天井及び取付板の各々の開口を介して天井裏から引き出された給電用の電線を器具本体に設けられた電源端子台に接続し、器具本体を取付部材に取り付けて、ネジ等によって器具本体と取付部材とを固定する。
【０００５】
この場合、光源だけではなく駆動ユニットに器具本体に支持されていると、重量感のある器具本体を取付板に固定することになる。したがって、光源及び駆動ユニットが支持された器具本体を天井の取付板に固定する作業を行う際に、ユーザが器具本体から手を離してしまうと、重量感のある器具本体が宙吊りになってしまう。この場合、天井裏から引き出された給電用の電線に引張力がかかってしまい、電線が断線したり外れたりして器具本体が落下するおそれがある。
【０００６】
一方、ユーザが器具本体を持ったままでは、重量感のある器具本体を取付板に固定する作業が行いにくい。つまり、器具本体の保持重量が施工時の負担になる。
【０００７】
特に、イオン発生機能を備えたシーリングライトでは、光源及び駆動ユニットだけではなくイオン生成ユニット及び送風ファン等も器具本体に支持されているため、器具本体の重さが２ｋｇほどにもなってしまう。
【０００８】
本発明は、このような課題に鑑みてなされたものであり、天井等の造営材に固定された取付部材に器具本体を固定する際、ユーザが器具本体を保持しなくても電線に引張力がかかることを抑制できるとともに照明器具を造営材に簡単に設置することができる照明器具を提供することを目的とする。
【課題を解決するための手段】
【０００９】
上記目的を達成するために、本発明に係る照明器具の一態様は、造営材に取り付けられる照明器具であって、前記照明器具を前記造営材に取り付けるための取付部材と、照明光を照射する光源及び前記光源を駆動する第１駆動ユニットを有する器具本体と、前記第１駆動ユニットは、前記造営材を介して供給される電力を伝送する電線により給電され、前記器具本体及び前記取付部材は、前記器具本体が前記取付部材に対して二枚貝状に開閉するように連結されている。
【発明の効果】
【００１０】
造営材に固定された取付部材に器具本体を固定する際、ユーザが器具本体を保持しなくても電線に引張力がかかることを抑制できるとともに、照明器具を造営材に簡単に設置することができる。
【図面の簡単な説明】
【００１１】
【図１】実施の形態１に係る照明器具を床面側から見たときの外観を示す斜視図である。
【図２】実施の形態１に係る照明器具の一部を分解したときに床面側から見たときの斜視図である。
【図３】実施の形態１に係る照明器具の一部を分解したときに床面側とは反対側から見たときの斜視図である。
【図４】実施の形態１に係る照明器具の全体を分解したときの斜視図である。
【図５】図６のＶ−Ｖ線における実施の形態１に係る照明器具の断面図である。
【図６】図５のＶＩ−ＶＩ線における実施の形態１に係る照明器具の断面図である。
【図７】実施の形態１に係る照明器具において器具本体が取付部材に対して開いた状態を示す斜視図である。
【図８】実施の形態１に係る照明器具において器具本体が取付部材に対して開いた状態を示す断面図である。
【図９】実施の形態２に係る照明器具の断面図である。
【図１０】実施の形態２に係る照明器具の取付部材を分解して示す斜視図である。
【図１１】実施の形態２に係る照明器具において器具本体が取付部材に対して開いた状態を示す斜視図である。
【図１２】実施の形態２に係る照明器具において器具本体が取付部材に対して開いた状態を示す断面図である。
【図１３】実施の形態３に係る照明器具の断面図である。
【図１４】実施の形態３に係る照明器具の取付部材を分解したときに床面側から見たときの斜視図である。
【図１５】実施の形態３に係る照明器具の取付部材を分解したときに床面側とは反対側から見たときの斜視図である。
【図１６】実施の形態３に係る照明器具において器具本体が取付部材に対して開いた状態を示す斜視図である。
【図１７】実施の形態２に係る照明器具において器具本体が取付部材に対して開いた状態を示す断面図である。
【図１８】実施の形態３に係る照明器具を天井に取り付ける際における引っ掛け部の動きを説明するための図である。
【発明を実施するための形態】
【００１２】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１３】
各図は、模式図であり、必ずしも厳密に図示されたものではない。各図において、実質的に同一の構成に対しては同一の符号を付しており、重複する説明は省略又は簡略化される場合がある。
【００１４】
また、本明細書及び図面において、Ｘ軸、Ｙ軸及びＺ軸は、三次元直交座標系の三軸を表しており、本実施の形態では、Ｚ軸方向を鉛直方向とし、Ｚ軸に垂直な方向（ＸＹ平面に平行な方向）を水平方向としている。Ｘ軸及びＹ軸は、互いに直交し、且つ、いずれもＺ軸に直交する軸である。
【００１５】
（実施の形態１）
［照明器具の全体構成］
以下、実施の形態１に係る照明器具１の構成について、図１〜図８を用いて説明する。図１は、実施の形態１に係る照明器具１を床面側から見たときの外観を示す斜視図である。図２及び図３は、同照明器具１の一部を分解して示す斜視図であり、それぞれ、床面側から見たときと、床面側とは反対側から見たときの照明器具１を示している。図４は、同照明器具１の全体を分解して示す斜視図である。図５は、図６のＶ−Ｖ線における同照明器具１の断面図である。図６は、図５のＶＩ−ＶＩ線における同照明器具１の断面図である。図７及び図８は、同照明器具１において器具本体１００が取付部材２００に対して開いた状態を示す図であり、それぞれ、斜視図及び断面図である。なお、図５、図６及び図８では、照明器具１の断面部分のみを示している。また、図７及び図８では、外郭カバー３００を取り付ける前の状態を示しており、図８では、さらに外郭カバー３００を省略している。
【００１６】
照明器具１は、例えば、住宅や店舗等の建物の天井又は壁等の造営材に配設される照明装置であり、室内等の空間領域を明るくするために照明光を照射する。照明器具１は、例えば、玄関、シューズクローク、ウォーキングクローゼット、トイレ又は階段の踊り場等の天井又は壁面に設置される。図１に示すように、本実施の形態における照明器具１は、天井２に設置されるシーリングライトである。具体的には、照明器具１は、天井２の天井面２ａに直付けで設置される。
【００１７】
また、照明器具１は、イオン放出機能を備えたシーリングライトである。つまり、照明器具１は、室内等の空間領域を照明する機能を有するだけではなく、当該空間領域にイオンを放出することにより脱臭・消臭及び除菌する機能を有する。したがって、照明器具１は、特にトイレ等の臭いが気になる箇所に設置されるとよい。
【００１８】
図１〜図６に示すように、照明器具１は、光源１２０を有する器具本体１００と、照明器具１を天井２に取り付けるための取付部材２００と、器具本体１００を覆う外郭カバー３００とを備える。
【００１９】
図７及び図８に示すように、照明器具１において、器具本体１００及び取付部材２００は、器具本体１００が取付部材２００に対して二枚貝状に開閉するように連結されている。具体的には、器具本体１００及び取付部材２００は、互いの端部の１箇所でヒンジ状に連結された連結構造を有しており、器具本体１００は、その連結部分を支点として、天井２に固定された取付部材２００に対して開閉するように回動する。つまり、器具本体１００は、片側支点（片持ち支持）で取付部材２００に回動可能に連結されており、器具本体１００及び取付部材２００がヒンジ状に連結された部分を支点として、連結された部分とは反対側の端部が天井２に対して離れたり近づいたりするように回動する。
【００２０】
以下、本実施の形態における照明器具１の各構成部材について、図１〜図８を参照しながら詳細に説明する。
【００２１】
［器具本体］
器具本体１００は、照明光を照射する灯体（灯具）として機能するとともに、イオンを放出するイオン放出体としても機能する。具体的には、図１〜図８に示すように、器具本体１００は、支持本体１１０と、光源１２０と、第１駆動ユニット１３０と、センサユニット１４０と、透光カバー１５０と、イオン生成ユニット１６０と、送風ユニット１７０と、第２駆動ユニット１８０と、電源端子台１９０とを有する。
【００２２】
器具本体１００において、光源１２０、第１駆動ユニット１３０、センサユニット１４０及び透光カバー１５０は、照明光を照射する照明ユニットを構成している。また、器具本体１００において、イオン生成ユニット１６０、送風ユニット１７０及び第２駆動ユニット１８０は、イオンを放出するイオン放出ユニットを構成している。
【００２３】
［支持本体］
支持本体１１０は、光源１２０、第１駆動ユニット１３０、センサユニット１４０、透光カバー１５０、イオン生成ユニット１６０、送風ユニット１７０、第２駆動ユニット１８０及び電源端子台１９０を支持している。支持本体１１０は、例えばアルミニウム等の金属材料によって構成されている。例えば、支持本体１１０は、樹脂成型品であってもよいし、ダイカスト製又は板金製の金属品であってもよい。
【００２４】
図２〜図６に示すように、支持本体１１０は、光源１２０を支持する支持部１１１と、支持部１１１の周縁から立設する側壁部１１２とを有する。
【００２５】
支持部１１１の平面視形状は円形である。支持部１１１の中央部には、天井２側に凸となるように凹んだ凹部１１１ａが形成されており、この凹部１１１ａに光源１２０が配置されている。つまり、光源１２０は、支持本体１１０の床面側に配置される。また、支持部１１１には、センサユニット１４０を取り付けるための開口１１１ｂが形成されている。
【００２６】
側壁部１１２は、円形の支持部１１１の周縁に沿って形成されている。側壁部１１２は、支持部１１１の周縁全周に形成されていてもよいが、本実施の形態では、支持部１１１の周縁全周のうちの一部に切り欠きが形成されている。具体的には、側壁部１１２の平面視形状は略Ｃ字状である。
【００２７】
図２〜図５に示すように、側壁部１１２には、貫通孔１１３、第１ネジ孔１１４ａ、第２ネジ孔１１４ｂ、第１の本体通気孔１１５ａ、第２の本体通気孔１１５ｂ、及び、第３の本体通気孔１１５ｃが設けられている。
【００２８】
図８に示すように、貫通孔１１３は、器具本体１００が取付部材２００に対して開いた状態のときに器具本体１００と取付部材２００とが連結されている部分に設けられている。つまり、貫通孔１１３は、器具本体１００の回転支点部分に設けられている。
【００２９】
図２及び図８に示すように、貫通孔１１３には、取付部材２００の引っ掛け部２０１が引っ掛けられている。具体的には、取付部材２００の引っ掛け部２０１の折り曲げ部分が、貫通孔１１３に挿入されて引っ掛けられている。図２に示すように、本実施の形態において、貫通孔１１３は、矩形状の横に長い１本のスリット孔（スリット開口）である。貫通孔１１３の横幅は、引っ掛け部２０１の幅とほぼ同じである。
【００３０】
図８に示すように、第１ネジ孔１１４ａは、貫通孔１１３と同様に、器具本体１００が取付部材２００に対して開いた状態のときに器具本体１００と取付部材２００とが連結されている部分（つまり、器具本体１００の回転支点部分）に設けられている。第１ネジ孔１１４ａは、貫通孔１１３と上下に並んで設けられている。第１ネジ孔１１４ａには、第１ネジ１１６ａが挿入される。また、第１ネジ孔１１４ａの内側面には、第１ネジ１１６ａが挿入される方向とは反対側に開口径が漸次大きくなるテーパ面が形成されている。
【００３１】
図５に示すように、第２ネジ孔１１４ｂは、器具本体１００を閉じるときに取付部材２００が器具本体１００に合わさる部分に設けられている。第２ネジ孔１１４ｂには、第２ネジ１１６ｂが挿入される。
【００３２】
第１ネジ孔１１４ａと第２ネジ孔１１４ｂとは、器具本体１００の中心を挟んで対向するように、側壁部１１２の周方向に沿って１８０°間隔で設けられている。
【００３３】
図４及び図６に示すように、第１の本体通気孔１１５ａは、空気（外気）を支持本体１１０の内部に吸い込むための吸込口（吸気口）である。本実施の形態において、第１の本体通気孔１１５ａは、側壁部１１２を矩形状に切り欠くように形成されている。つまり、第１の本体通気孔１１５ａは、側壁部１１２が存在しない部分である。
【００３４】
図４及び図６に示すように、第２の本体通気孔１１５ｂは、空気（内気）を支持本体１１０から外部に吹き出すための吹出口（排気口）である。第２の本体通気孔１１５ｂは、側壁部１１２に形成された矩形状の開口である。
【００３５】
図４及び図６に示すように、第３の本体通気孔１１５ｃは、イオン生成ユニット１６０により生成されたマイナスイオンを支持本体１１０の外部に放出するため吹出口である。第３の本体通気孔１１５ｃは、側壁部１１２に形成された矩形状の開口である。
【００３６】
第１の本体通気孔１１５ａ、第２の本体通気孔１１５ｂ、及び、第３の本体通気孔１１５ｃは、側壁部１１２の周方向に沿って互いに隣接して配置されている。
【００３７】
また、図２及び図３に示すように、支持本体１１０の外面には、３つのガイド溝１１７が設けられている。具体的には、３つのガイド溝１１７は、支持本体１１０の側壁部１１２に設けられている。３つのガイド溝１１７は、支持本体１１０の中心にして支持本体１１０（側壁部１１２）の周方向に沿って１２０°間隔で設けられている。各ガイド溝１１７は、全体として略Ｌ字形状であり、Ｚ軸方向に延在する第１ガイド部１１７ａと支持本体１１０の周方向に延在する第２ガイド部１１７ｂとを有する。各ガイド溝１１７には、外郭カバー３００に設けられた突起３４０が摺動してガイドされて係止する。第１ガイド部１１７ａは、外郭カバー３００を垂直移動させるために、突起３４０を垂直方向に摺動するようにガイドするガイド部である。第２ガイド部１１７ｂは、外郭カバー３００を水平回転させるために、突起３４０を周方向に摺動するようにガイドするガイド部である。
【００３８】
［照明ユニット］
図２〜図６に示すように、光源１２０、第１駆動ユニット１３０、センサユニット１４０及び透光カバー１５０で構成される照明ユニットは、照明器具１が設置された空間領域に照明光を照射させる機能を有する。
【００３９】
光源１２０は、照明光を照射する照明用光源である。光源１２０は、照明器具１の光源部となる光源モジュールであり、照明器具１が空間領域を照らすための照明光として、例えば白色光を発する。本実施の形態において、光源１２０は、発光素子としてＬＥＤ（Ｌｉｇｈｔ  Ｅｍｉｔｔｉｎｇ  Ｄｉｏｄｅ）を用いたＬＥＤモジュールである。一例として、光源１２０は、ＣＯＢ（Ｃｈｉｐ  Ｏｎ  Ｂｏａｒｄ）タイプであり、基板と、基板に直接実装された複数のＬＥＤチップと、ＬＥＤチップを封止する封止部材とを有する。
【００４０】
光源１２０の基板としては、セラミックス基板、樹脂基板又はメタルベース基板等が用いられる。ＬＥＤチップは、例えば、単色の可視光を発するベアチップである。ＬＥＤチップとしては、通電されれば青色光を発する青色ＬＥＤチップである。封止部材は、例えば透光性樹脂である。本実施の形態における封止部材は、ＬＥＤチップからの光を波長変換する波長変換材として蛍光体を含んでいる。封止部材は、例えば、シリコーン樹脂に蛍光体を分散させた蛍光体含有樹脂である。蛍光体粒子としては、ＬＥＤチップが青色ＬＥＤチップである場合、白色光を得るために、例えばＹＡＧ系の黄色蛍光体を用いることができる。本実施の形態において、封止部材は、全てのＬＥＤチップを一括封止するように円形状に形成されているが、複数のＬＥＤチップを列ごとにライン状に封止してもよいし、各ＬＥＤチップを１つずつ個別に封止してもよい。
【００４１】
この場合、光源１２０では、第１駆動ユニット１３０から供給される直流電力によって青色ＬＥＤチップが発光する。これにより、青色ＬＥＤチップの青色光の一部を黄色蛍光体が吸収して励起されて黄色蛍光体から黄色光が放出される。そして、この黄色光と黄色蛍光体に吸収されなかった青色光とが混ざって白色光となり、光源１２０からは白色光が放出される。なお、封止部材には、赤色蛍光体及び緑色蛍光体が含有されていてもよい。また、光源１２０は、調光・調色可能な構造を有していてもよい。
【００４２】
図４に示すように、光源１２０は、支持本体１１０の支持部１１１の凹部１１１ａに放熱シート１２１を介して取り付けられている。光源１２０は、ホルダ１２２によって支持本体１１０に固定されている。ホルダ１２２は、例えば白色樹脂材料等で形成されており、光源１２０からの光を反射する反射板としても機能する。また、光源１２０は、光源１２０にユーザが触れないようにするための保護カバー１２３により覆われている。保護カバー１２３は、例えば透光性材料によって形成されており、光源１２０から出射する光を透過する。保護カバー１２３は、支持部１１１の凹部１１１ａ全体を覆うようにして支持部１１１に取り付けられている。
【００４３】
第１駆動ユニット１３０は、光源１２０を駆動する。具体的には、第１駆動ユニット１３０は、照明用の電源・制御ユニットであり、光源１２０を発光させるための電力を生成する電源機能と、光源１２０の照明態様（発光状態）を制御する制御機能とを有する。
【００４４】
第１駆動ユニット１３０は、例えば、電源端子台１９０から供給される交流電力を直流電力に変換し、この直流電力が光源１２０に供給されることで光源１２０が発光する。なお、第１駆動ユニット１３０は、Ｈ端子、Ｎ端子及びＬＯＤ端子を有している。Ｈ端子及びＮ端子は、電源端子台１９０に接続されており、電源端子台１９０から第１駆動ユニット１３０に供給される交流電力はＨ端子及びＮ端子に入力される。ＬＯＤ端子は、第２駆動ユニット１８０に接続されている。
【００４５】
また、第１駆動ユニット１３０は、光源１２０の調光制御又は調色制御を行ったり光源１２０の点滅・フラッシュ点灯制御を行ったりすることで光源１２０の照明態様を変更する。
【００４６】
第１駆動ユニット１３０は、支持本体１１０の支持部１１１の天井側の面に固定されている。第１駆動ユニット１３０は、基板と、基板に実装された複数の回路素子とを有する。基板に実装された複数の回路素子は、図４に示されるケース１３０ａに収納されている。
【００４７】
第１駆動ユニット１３０において、複数の回路素子には、光源１２０を発光させるための電力を生成する電源回路を構成する電源回路素子と、光源１２０の照明態様を制御する制御回路を構成する制御回路素子とが含まれる。電源回路及び制御回路は、電源端子台１９０及び電線４００を介して系統電源（不図示）と電気的に接続されている。
【００４８】
第１駆動ユニット１３０の電源回路は、例えば、電線４００を介して供給されてきた商用の交流電力を直流電力に変換する。この電源回路で生成された直流電力が光源１２０に供給されることにより、光源１２０が発光する。また、第１駆動ユニット１３０の制御回路は、センサユニット１４０の各検知結果に基づいて、光源１２０の照明態様を制御する。
【００４９】
図２に示すように、センサユニット１４０は、例えば、人感センサ１４１、照度センサ１４２、表示用光源１４３及び操作つまみ１４４を有する。人感センサ１４１及び照度センサ１４２は、ケース１４０ａに収納されている。図４に示すように、センサユニット１４０は、支持本体１１０の支持部１１１の開口１１１ｂに配置されている。
【００５０】
人感センサ１４１は、照明器具１の周囲における人の存在の有無を検知するためのセンサである。照度センサ１４２は、照明器具１の周囲の光照度を検知するためのセンサである。
【００５１】
表示用光源１４３は、イオン生成ユニット１６０の動作状態を示す動作表示態様で発光する。つまり、表示用光源１４３は、イオン生成ユニット１６０の動作状態を示すインジケータである。具体的には、表示用光源１４３は、照明器具１によるイオンの放出有無が分かるように発光する。例えば、表示用光源１４３は、イオン生成ユニット１６０が正常に動作している場合、第２駆動ユニット１８０から供給される電力によって、例えば青色又は緑色等に発光する。
【００５２】
操作つまみ１４４は、光源１２０の点灯保持時間を調節するための回転式つまみである。操作つまみ１４４は、透光カバー１５０の貫通孔を通して照明器具１の外部に露出されている。
【００５３】
透光カバー１５０は、光源１２０からの光を透過する。図５に示すように、透光カバー１５０は、支持本体１１０の支持部１１１の全体を覆うように略ドーム状に形成されている。透光カバー１５０は、支持本体１１０に取り付けられている。また、本実施の形態において、透光カバー１５０は、光拡散性を有する拡散カバーであり、光源１２０からの光を拡散（散乱）させる。
【００５４】
透光カバー１５０に光拡散性を持たせる場合、透光性樹脂材料に光反射微粒子等の光拡散材を分散させて透光カバー１５０を作製したり、透明部材からなる透光カバー１５０の表面（内面又は外面）に光拡散材等を含む乳白色の光拡散膜を形成したりすることで、透光カバー１５０に光拡散性を持たせることができる。あるいは、光拡散材を用いるのではなく、シボ加工処理等によって透明部材からなる透光カバー１５０の表面に微小凹凸（プリズム等）を形成したり、透明部材からなる透光カバー１５０の表面にドットパターンを印刷したりすることで、透光カバー１５０に光拡散性を持たせてもよい。
【００５５】
［イオン放出ユニット］
図６に示すように、イオン生成ユニット１６０、送風ユニット１７０及び第２駆動ユニット１８０で構成されるイオン放出ユニットは、照明器具１が設置された空間領域にイオンを放出させる機能を有する。イオン放出ユニットからイオンを一定時間放出させることによって、空間領域を脱臭・消臭したり、アレルゲンやウイルス等を不活化したり、空間領域内のカビや細菌等を除菌したりできる。
【００５６】
イオン生成ユニット１６０は、イオンを生成するためのイオン生成器である。本実施の形態では、イオン生成ユニット１６０は、マイナスイオンとしてナノイーを生成する。具体的には、イオン生成ユニット１６０は、水補給レスでナノイーを生成する。この場合、イオン生成ユニット１６０は、例えば、針状放電極と、針状放電極に高電圧（例えば、約６０００Ｖ）を印加する高電圧発生回路と、針状放電極を冷却するペルチェ素子とを有するイオン発生部を有する。針状放電極は、ペルチェ素子のペルチェ効果によって冷却されることにより結露する。高電圧発生回路が針状放電極に結露した空気中の水分に高電圧を印加することにより、霧化したナノイーを発生させることができる。
【００５７】
送風ユニット１７０は、イオン生成ユニット１６０により生成されたイオンを器具本体１００の外部に送風する送風ファン１７１（送風機）を有する。具体的には、送風ファン１７１は、イオン生成ユニット１６０で生成されたイオンを照明器具１の外部に拡散させるための気流を発生させるためのものである。つまり、送風ファン１７１は、イオン生成ユニット１６０で生成されたイオンの拡散を送風によってアシストする。送風ファン１７１は、例えば、ケーシングとケーシング内に配置された羽根車と羽根車を回転させるモータとを有しており、照明器具１の外部の空気（外気）を吸い込んで吐き出す。
【００５８】
第２駆動ユニット１８０は、イオン生成ユニット１６０及び送風ユニット１７０を駆動する。具体的には、第２駆動ユニット１８０は、イオン生成ユニット１６０及び送風ユニット１７０を動作させるための電力を生成する電源機能と、イオン生成ユニット１６０及び送風ユニット１７０を制御する制御機能とを有する。
【００５９】
また、第２駆動ユニット１８０は、表示用光源１４３を発光させるための電力を表示用光源１４３に供給する。具体的には、第２駆動ユニット１８０は、電源端子台１９０の一方の端子及び第１駆動ユニット１３０のＬＯＤ端子から供給される交流電力を直流電力に変換し、この直流電力が表示用光源１４３に供給されることで表示用光源１４３が発光する。
【００６０】
また、第２駆動ユニット１８０は、イオン生成ユニット１６０及び送風ユニット１７０を制御する。例えば、第２駆動ユニット１８０は、イオン生成ユニット１６０及び送風ユニット１７０の運転開始及び運転停止（つまり、イオンの放出時間）の制御を行ったり、イオン生成ユニット１６０から放出されるイオンの量の制御を行ったりする。
【００６１】
第２駆動ユニット１８０は、基板と、基板に実装された複数の回路素子とを有する。第２駆動ユニット１８０において、複数の回路素子には、イオン生成ユニット１６０及び送風ユニット１７０を駆動させるための駆動回路を構成する駆動回路素子が含まれる。この駆動回路素子には、イオン生成ユニット１６０及び送風ユニット１７０を動作させるための電力を生成する電源回路を構成する電源回路素子と、イオン生成ユニット１６０及び送風ユニット１７０を制御するための制御回路を構成する制御回路素子とが含まれる。
【００６２】
また、第２駆動ユニット１８０を構成する複数の回路素子には、表示用光源１４３を発光させるための電力を生成する電源回路を構成する電源回路素子と、表示用光源１４３の照明態様を制御する制御回路を構成する制御回路素子とが含まれている。
【００６３】
イオン生成ユニット１６０、送風ユニット１７０及び第２駆動ユニット１８０は、図４に示されるケース１６０ａに収納されている。ケース１６０ａは、例えば樹脂材料等によって形成されている。
【００６４】
図２〜図６に示すように、ケース１６０ａの側面には、第１のケース通気孔１６１ａ、第２のケース通気孔１６１ｂ、及び、第３のケース通気孔１６１ｃが設けられている。
【００６５】
第１のケース通気孔１６１ａは、空気（外気）をケース１６０ａの内部に吸い込むための吸込口である。図４に示すように、本実施の形態において、第１のケース通気孔１６１ａは、ケース１６０ａの側壁に形成された格子枠の複数の開口によって構成されている。図２及び図６に示すように、第１のケース通気孔１６１ａは、支持本体１１０に設けられた第１の本体通気孔１１５ａに対向する位置に設けられている。
【００６６】
第２のケース通気孔１６１ｂは、空気をケース１６０ａの外部に吹き出すための吹出口である。図４に示すように、第２のケース通気孔１６１ｂは、ケース１６０ａの側壁に形成された矩形状の開口である。図２及び図６に示すように、第２のケース通気孔１６１ｂは、支持本体１１０に設けられた第２の本体通気孔１１５ｂに対向する位置に設けられている。
【００６７】
第３のケース通気孔１６１ｃは、イオン生成ユニット１６０により生成されたイオンをケース１６０ａの外部に放出するため吹出口である。図４に示すように、第３のケース通気孔１６１ｃは、ケース１６０ａの側壁に形成された矩形状の開口である。図２及び図６に示すように、第３のケース通気孔１６１ｃは、支持本体１１０に設けられた第３の本体通気孔１１５ｃに対向する位置に設けられている。
【００６８】
図４及び図６に示すように、第１のケース通気孔１６１ａ、第２のケース通気孔１６１ｂ、及び、第３のケース通気孔１６１ｃは、ケース１６０ａの周方向に沿って互いに隣接して配置されている。
【００６９】
図３及び図８に示すように、電源端子台１９０は、電線４００によって系統電源（商用交流電源）に接続されている。電源端子台１９０は、照明器具１が系統電源から電力供給を受けるための中継器として機能し、照明器具１と系統電源との間の電力経路に配置される。つまり、照明器具１は、電源端子台１９０を介して系統電源から電力供給を受ける。
【００７０】
電源端子台１９０は、第１駆動ユニット１３０とリード線等を介して電気的に接続されている。したがって、電源端子台１９０で受電した交流電力は、リード線等を介して第１駆動ユニット１３０に供給される。
【００７１】
［取付部材］
図７及び図８に示すように、取付部材２００は、天井２に固定される。本実施の形態において、取付部材２００は、天井２に固定される取付板であり、ネジによって天井面２ａに固定されている。器具本体１００は、取付板である取付部材２００に対して二枚貝状に連結されている。
【００７２】
図２〜図４に示すように、取付部材２００は、金属板からなり、略円板状の平板体２１０と、第１連結片２２１及び第２連結片２２２とによって構成されている。金属板からなる取付部材２００は、鋼板等からなる所定形状の金属板をプレス加工することにより形成することができる。
【００７３】
平板体２１０は、一方の面が天井面２ａに接するように天井２に固定される。平板体２１０の中央部には、天井２の開口２ｂに連通する開口２１０ａが形成されている。図７及び図８に示すように、開口２１０ａには、天井２から引き出された電線４００が挿通される。
【００７４】
また、平板体２１０には、ネジを挿通するための複数の孔が形成されている。例えば複数の孔の各々にネジを挿通して天井２にネジ込むことにより、取付部材２００を天井２に取り付けることができる。
【００７５】
図５に示すように、第１連結片２２１及び第２連結片２２２は、器具本体１００に連結される。具体的には、第１連結片２２１及び第２連結片２２２は、器具本体１００の支持本体１１０の側壁部１１２に連結される。
【００７６】
図２〜図４に示すように、第１連結片２２１及び第２連結片２２２は、平板体２１０から立設するようにして平板体２１０の端部に設けられている。また、第１連結片２２１及び第２連結片２２２は、対向する位置に設けられている。本実施の形態において、第１連結片２２１及び第２連結片２２２は、取付部材２００の中心を間に挟んで対向する位置に設けられている。具体的には、第１連結片２２１及び第２連結片２２２は、平板体２１０の周方向に沿って１８０°間隔で平板体２１０の外周端部に形成されている。本実施の形態において、第１連結片２２１及び第２連結片２２２は、平板体２１０の外端縁からＺ軸方向に９０°折り曲げられるように平板体２１０と一体で形成されている。
【００７７】
図２〜図５に示すように、第１連結片２２１には、引っ掛け部２０１が形成されている。引っ掛け部２０１は、例えば、第１連結片２２１の先端部を内側に折り曲げることによって構成された折り曲げ部である。本実施の形態において、引っ掛け部２０１は、略Ｊ字状となるように内側に２回折り曲げられることで構成されている。なお、引っ掛け部２０１における折り曲げ回数は、２回に限らず、１回又は３回以上の複数回であってもよい。
【００７８】
引っ掛け部２０１は、器具本体１００（支持本体１１０）の貫通孔１１３に挿通されて引っ掛けられている。また、図７及び図８に示すように、器具本体１００及び取付部材２００は、器具本体１００が取付部材２００に対して開いた状態のときに、引っ掛け部２０１が貫通孔１１３に引っ掛かった状態になることで二枚貝状に連結される。つまり、引っ掛け部２０１によって、器具本体１００が片側支点で取付部材２００に回動可能に仮保持されている。
【００７９】
また、第１連結片２２１には、第１ネジ孔２２０ａが設けられている。第１ネジ孔２２０ａには、第１ネジ１１６ａが挿入される。具体的には、器具本体１００が取付部材２００に対して閉じた状態のときに、器具本体１００の側壁部１１２の第１ネジ孔１１４ａと取付部材２００の第１ネジ孔２２０ａとに、第１ネジ１１６ａが連通されてねじ込まれる。
【００８０】
第２連結片２２２は、器具本体１００が取付部材２００に対して閉じた状態で、支持本体１１０の側壁部１１２の第２ネジ孔１１４ｂを覆う。第２連結片２２２には、第２ネジ孔２２０ｂが設けられている。第２ネジ孔２２０ｂには、第２ネジ１１６ｂが挿入される。具体的には、器具本体１００が取付部材２００に対して閉じた状態のときに、器具本体１００の側壁部１１２の第２ネジ孔１１４ｂと、取付部材２００の第２ネジ孔２２０ｂとに、第２ネジ１１６ｂが連通されてねじ込まれる。
【００８１】
図５に示すように、本実施の形態では、第１連結片２２１には、第１ネジ孔２２０ａの周縁から側壁部１１２の第１ネジ孔１１４ａに向かって突出する突出部２２０ａ１が形成されている。突出部２２０ａ１は、器具本体１００が取付部材２００に対して閉じた状態のときに、側壁部１１２の第１ネジ孔１１４ａの内側面に形成されたテーパ面に接して側壁部１１２の第１ネジ孔１１４ａに嵌め合わされている。
【００８２】
［外郭カバー］
図２〜図７に示すように、外郭カバー３００は、器具本体１００の側面を覆う枠状体である。具体的には、外郭カバー３００は、薄肉の略円筒状であり、器具本体１００の支持本体１１０の側壁部１１２を側方から覆っている。外郭カバー３００は、照明器具１の外郭を構成し、化粧カバーとしても機能する。外郭カバー３００は、樹脂材料等によって形成されている。
【００８３】
図２及び図６に示すように、外郭カバー３００の側面には、第１のカバー通気孔３１０と、第２のカバー通気孔３２０とが形成されている。
【００８４】
第１のカバー通気孔３１０は、空気（外気）を外郭カバー３００の内部に吸い込むための吸込口である。第１のカバー通気孔３１０は、器具本体１００の内部空間と空間的につながっている。
【００８５】
第２のカバー通気孔３２０は、空気（内気）を外郭カバー３００から外部に吹き出すための吹出口である。
【００８６】
第１のカバー通気孔３１０及び第２のカバー通気孔３２０の各々は、外郭カバー３００の側壁の周方向に沿って長尺状に延び、且つ、外郭カバー３００の軸方向（Ｚ軸方向）に間隔を置いて配置された複数のスリットとして形成されている。第１のカバー通気孔３１０及び第２のカバー通気孔３２０は、外郭カバー３００の側面の周方向に沿って互いに隣接して配置されている。
【００８７】
第１のカバー通気孔３１０は、外郭カバー３００の側壁のうち、器具本体１００（支持本体１１０）の第１の本体通気孔１１５ａ及び第１のケース通気孔１６１ａに対向する位置に設けられている。
【００８８】
第２のカバー通気孔３２０は、外郭カバー３００の側壁のうち、器具本体１００（支持本体１１０）の第２の本体通気孔１１５ｂ及び第２のケース通気孔１６１ｂに対向する位置と、器具本体１００の第３の本体通気孔１１５ｃ及び第３のケース通気孔１６１ｃに対向する位置とに設けられている。つまり、第２のカバー通気孔３２０は、第２の本体通気孔１１５ｂ（第２のケース通気孔１６１ｂ）から第３の本体通気孔１１５ｃ（第３のケース通気孔１６１ｃ）にわたって、これらを覆うように設けられている。
【００８９】
また、図２に示すように、外郭カバー３００の外側面には、周方向に沿って長尺状に延び、且つ、外郭カバー３００の軸方向（Ｚ軸方向）に間隔を置いて配置された複数の長尺状の溝３３０が形成されている。複数の溝３３０は、第１のカバー通気孔３１０及び第２のカバー通気孔３２０を構成する複数のスリットと連続するように形成されている。
【００９０】
つまり、外郭カバー３００には、図５の右下拡大図に示すように、貫通孔となるスリット（第１のカバー通気孔３１０）が形成された凹凸形状と、図５の左下拡大図に示すように、貫通孔となっていない溝３３０が形成された凹凸形状とが形成されており、外郭カバー３００の側面部の全周には外観上一様な凹凸形状が形成されている。
【００９１】
これにより、溝部３３０と第１のカバー通気孔３１０（第２のカバー通気孔３２０）とが連続して一体となった凹凸形状に見えるので、外郭カバー３００の側面に第１のカバー通気孔３１０及び第２のカバー通気孔３２０が形成されていることを目立たなくすることができる。つまり、ユーザは、外郭カバー３００に貫通孔（第１のカバー通気孔３１０、第２のカバー通気孔３２０）が形成されていることに気が付きにくい。
【００９２】
このように、第１のカバー通気孔３１０及び第２のカバー通気孔３２０に連続する溝部を形成することで、照明器具１の外観上のデザイン性を損なうことなく、第１のカバー通気孔３１０及び第２のカバー通気孔３２０を形成することができる。
【００９３】
また、第１のカバー通気孔３１０及び第２のカバー通気孔３２０をスリットにして断面視で凹凸形状にすることで、上方に配置された照明器具１を見上げたときに、第１のカバー通気孔３１０及び第２のカバー通気孔３２０を見えにくくできる。
【００９４】
このように構成される外郭カバー３００は、器具本体１００に着脱自在に取り付けられている。具体的には、外郭カバー３００は、支持本体１１０の側壁部１１２に着脱自在に取り付けられている。
【００９５】
本実施の形態では、図３及び図４に示すように、外郭カバー３００の内面には３つの突起３４０が設けられており、この３つの突起３４０が、支持本体１１０の外面に設けられた３つのガイド溝１１７に係止することで、外郭カバー３００が器具本体１００に取り付けられている。３つの突起３４０は、外郭カバー３００の中心を挟んで対向するように、外郭カバー３００の周方向に沿って１２０°間隔で設けられているが、突起３４０の数及び突起３４０の並びの間隔は、これに限らない。なお、３つの突起３４０のうち、１つの突起３４０は、２つに分離されている。
【００９６】
また、図３〜図７に示すように、外郭カバー３００の内側には、フィルタ３５０が取り付けられている。フィルタ３５０は、外郭カバー３００の側面の内側に着脱自在に取り付けられている。また、フィルタ３５０は、外郭カバー３００の第１のカバー通気孔３１０を覆っている。
【００９７】
フィルタ３５０は、集塵用フィルタである。フィルタ３５０には、送風ユニット１７０により吸引される外気が通過する。つまり、フィルタ３５０には、主に室内の空間領域の空気に含まれる塵埃が集塵される。このように、フィルタ３５０に外気を通過させることで、外気に含まれる埃塵をフィルタ３５０に吸着させて空気から塵埃を取り除くことができる。
【００９８】
本実施の形態において、フィルタ３５０は、複数の開口を有する格子状の横長矩形の枠体３５１と、枠体３５１の複数の開口を覆うように枠体３５１に設けられたメッシュフィルタ３５２とを有する。
【００９９】
フィルタ３５０は、外郭カバー３００と、器具本体１００の支持本体１１０との間に配置されている。具体的には、フィルタ３５０は、外郭カバー３００の第１のカバー通気孔３１０と、支持本体１１０（側壁部１１２）の第１の本体通気孔１１５ａとの間に配置されている。第１のカバー通気孔３１０と第１の本体通気孔１１５ａとはフィルタ３５０を介して連通している。つまり、外郭カバー３００の外部空間（室内空間）と器具本体１００の内部空間とは、第１のカバー通気孔３１０、フィルタ３５０及び第１の本体通気孔１１５ａを介して空間的につながっている。これにより、送風ユニット１７０により第１のカバー通気孔３１０を通って吸引される外気がフィルタ３５０を通過する際、外気に含まれる塵埃がフィルタ３５０によって取り除かれる。
【０１００】
なお、本実施の形態において、フィルタ３５０は、吸込口となる第１のカバー通気孔３１０を覆っているが、吹出口となる第２のカバー通気孔３２０を覆っていない。
【０１０１】
また、図５の右下拡大図に示すように、フィルタ３５０の枠体３５１（格子部分）は、外郭カバー３００の第１のカバー通気孔３１０と重ならないように配置されている。つまり、フィルタ３５０の枠体３５１は、外郭カバー３００における第１のカバー通気孔３１０が形成されていない部分（枠部分）の裏側に配置されている。つまり、フィルタ３５０の枠体３５１は、外郭カバー３００における第１のカバー通気孔３１０が形成されていない部分に隠されている。これにより、照明器具１の外観のデザイン性を向上させることができる。
【０１０２】
［電線］
電線４００は、天井２を介して供給される電力を照明器具１に伝送する電源線である。電線４００は、系統電源からの交流電力を照明器具１に供給する。本実施の形態において、電線４００は、天井２の天井裏から、天井２の開口２ｂ及び取付部材２００の開口２１０ａを介して器具本体１００内に引き出されて器具本体１００の電源端子台１９０に接続されている。これにより、電線４００によって伝送された系統電源からの交流電力は、電源端子台１９０を介して第１駆動ユニット１３０に供給される。例えば、ＶＶＦケーブルであるが、これに限らない。
【０１０３】
［照明器具の機能］
次に、室内に設置された場合の照明器具１の照明機能及びイオン放出機能の一例について説明する。
【０１０４】
照度センサ１４２によって照明器具１の周囲の照度が閾値よりも低いと判断され、かつ、人感センサ１４１よって人が検知された場合、光源１２０への直流電力の供給を開始することにより、光源１２０が自動的に点灯する。光源１２０からの光は、保護カバー１２３を透過して透光カバー１５０に入射する。透光カバー１５０に入射した光は、透光カバー１５０を透過して室内に照射される。なお、光源１２０への直流電力の供給を開始してから一定時間が経過すると、光源１２０への直流電力の供給が停止して、光源１２０が自動的に消灯する。
【０１０５】
また、送風ユニット１７０の送風ファン１７１が所定方向に回転することにより、室内の空気は、吸込口となる通気孔（第１のカバー通気孔３１０、第１の本体通気孔１１５ａ、第１のケース通気孔１６１ａ）とフィルタ３５０を通して、器具本体１００の内部に吸い込まれる。つまり、照明器具１の外気が支持本体１１０内に吸い込まれる。このとき、室内の空気に含まれる塵埃はフィルタ３５０で集塵される。
【０１０６】
器具本体１００の内部に吸い込まれた空気は、送風ファン１７１を介して、吹出口となる通気孔（第２のケース通気孔１６１ｂ、第２の本体通気孔１１５ｂ、第２のカバー通気孔３２０）を通して、器具本体１００の外部に吹き出される。つまり、照明器具１の内気が室内に吹き出される。
【０１０７】
本実施の形態では、送風ファン１７１の回転に連動して、イオン生成ユニット１６０によってイオンが生成される。イオン生成ユニット１６０で生成されたイオンは、吹出口となる通気孔（第３のケース通気孔１６１ｃ、第３の本体通気孔１１５ｃ、第２のカバー通気孔３２０）を通して、送風ファン１７１によって送風される空気とともに器具本体１００の外部に吹き出される。つまり、イオン生成ユニット１６０で生成されたイオンは、送風ファン１７１の送風によってアシストされながら照明器具１の外部に吹き出されるので、室内の広い範囲にイオンを拡散させることができる。
【０１０８】
なお、光源１２０を駆動する第１駆動ユニット１３０と、送風ユニット１７０及びイオン生成ユニット１６０を駆動する第２駆動ユニット１８０とは、それぞれ独立して駆動する。すなわち、送風ユニット１７０及びイオン生成ユニット１６０が所定時間（例えば８時間）連続して駆動されている間、送風ユニット１７０及びイオン生成ユニット１６０とは独立して、光源１２０が任意のタイミングで点灯又は消灯してもよい。なお、光源１２０は、照度センサ１４２及び人感センサ１４１による自動点灯及び自動消灯ではなく、壁スイッチ等によりユーザが任意のタイミングで光源１２０を任意のタイミングで点灯又は消灯させてもよい。
【０１０９】
［照明器具の天井への取り付け方法］
次に、本実施の形態に係る照明器具１を天井２に取り付けるときの取り付け方法について説明する。
【０１１０】
図７及び図８に示すように、照明器具１を天井２に取り付ける際、器具本体１００と取付部材２００とが連結された状態で、取付部材２００を天井２に固定する。例えば、取付板である取付部材２００をネジ等によって天井２に固定する。
【０１１１】
このとき、取付部材２００の引っ掛け部２０１が器具本体１００の貫通孔１１３に引っ掛けられているので、器具本体１００は、二枚貝状に開いた状態で取付部材２００に仮保持されている。つまり、器具本体１００は、片側支点で取付部材２００に回動可能に仮保持されている。
【０１１２】
次に、天井２の開口２ｂから引き出された電線４００を器具本体１００の電源端子台１９０に接続する。このとき、器具本体１００が取付部材２００に対して開いた状態となっているので、天井２の開口２ｂから引き出された電線４００を、器具本体１００の電源端子台１９０に容易に接続することができる。しかも、電線４００を電源端子台１９０に接続する作業を行う際、器具本体１００と取付部材２００とが連結されているので、ユーザが器具本体１００を支えなくても、電線４００に引張力がかかることを回避できる。
【０１１３】
また、本実施の形態では、器具本体１００と取付部材２００とが吊りヒモ５００によって連結されているので、器具本体１００が一定の角度を超えて開かないように仮保持状態が維持されている。つまり、器具本体１００の開き角度が吊りヒモ５００によって規制されており、器具本体１００が取付部材２００に対して最大で開いた状態のときに、吊りヒモ５００には引っ張り力がかかっている。このように、吊りヒモ５００を用いることで、電線４００に引張力がかかることを防止することができる。
【０１１４】
次に、器具本体１００を閉じるように回動することで仮保持状態を解除し、器具本体１００を取付部材２００に連結する。具体的には、器具本体１００の第２ネジ孔１１４ｂが取付部材２００の第２ネジ孔２２０ｂに対向するようにして、器具本体１００を取付部材２００に連結させる。このとき、器具本体１００の第１ネジ孔１１４ａも取付部材２００の第１ネジ孔２２０ａに対向する。
【０１１５】
次に、図５に示すように、器具本体１００の第２ネジ孔１１４ｂと取付部材２００の第２ネジ孔２２０ｂとに第２ネジ１１６ｂを挿通して第２ネジ１１６ｂをねじ込むとともに、器具本体１００の第１ネジ孔１１４ａと取付部材２００の第１ネジ孔２２０ａとに第１ネジ１１６ａを挿通して第１ネジ１１６ａをねじ込む。これにより、器具本体１００が閉じた状態で器具本体１００と取付部材２００とを固定することができる。
【０１１６】
その後、器具本体１００に外郭カバー３００を取り付ける。具体的には、図３及び図４に示すように、外郭カバー３００の内面に設けられた３つの突起３４０を、支持本体１１０の外面に設けられた３つのガイド溝１１７に沿わせて摺動させて各ガイド溝１１７に係止させる。より具体的には、各突起３４０が各ガイド溝１１７の第１ガイド部１１７ａに摺動するように外郭カバー３００を天井側方向（Ｚ軸マイナス方向）に移動させて、その後、外郭カバー３００を回転させることで、各突起３４０を各ガイド溝１１７の第２ガイド部１１７ｂに摺動させて第２ガイド部１１７ｂの奥の端部に係止させる。これにより、外郭カバー３００を器具本体１００に取り付けることができる。
【０１１７】
なお、外郭カバー３００を器具本体１００から外す場合は、外郭カバー３００を逆回転させ、その後、外郭カバー３００を床側方向（Ｚ軸プラス方向）に移動させることで、外郭カバー３００を器具本体１００から取り外すことができる。
【０１１８】
［まとめ］
このように、本実施の形態における照明器具１では、器具本体１００が取付部材２００に対して二枚貝状に開閉するように連結されている。
【０１１９】
これにより、天井２に固定された取付部材２００に器具本体１００を固定する際に、器具本体１００が二枚貝状に開いた状態で取付部材２００に保持されているので、ユーザが器具本体１００を保持しなくても、電線４００に引張力がかかることを抑制することができる。つまり、電線４００に落下エネルギーが加わらない。
【０１２０】
特に、本実施の形態では、器具本体１００は、光源部１１及び第１駆動ユニット１３０だけではなく、イオン生成ユニット１６０、送風ユニット１７０（送風ファン１７１）及び第２駆動ユニット１８０を有するので、重量がある。
【０１２１】
このため、器具本体１００が取付部材２００に連結されていなければ、ユーザが器具本体１００から手を離してしまうと、電線４００だけでは器具本体１００を支えきれずに電線４００が断線したり電源端子台１９０から外れたりするおそれがある。一方、本実施の形態における照明器具１では、重量のある器具本体１００であっても、器具本体１００が取付部材２００に対して二枚貝状に開閉するように連結されているので、ユーザが器具本体１００から手を離しても、電線４００が断線したり電源端子台１９０から外れたりすることを回避できる。
【０１２２】
しかも、ユーザが器具本体１００を保持しなくてもよいので、施工時におけるユーザの器具本体１００の保持重量負担を軽減することができる。これにより、電線４００の器具本体１００への接続作業を容易に行うことができる。
【０１２３】
さらに、器具本体１００が取付部材２００に対して二枚貝状に開閉するように連結していることで、器具本体１００が片側支点で取付部材２００に連結されている。これにより、器具本体１００と取付部材２００との連結部（回転支点）とは反対側の部分（ネジ固定部）での位置合わせを容易に行うこともできる。したがって、照明器具１の天井２への取り付け作業を容易に行うことができる。
【０１２４】
以上、本実施の形態における照明器具１では、天井２に固定された取付部材２００に器具本体１００を固定する際、ユーザが器具本体１００を保持しなくても電線４００に引張力がかかることを抑制できるとともに、照明器具１を天井２に簡単に設置することができる。
【０１２５】
また、本実施の形態における照明器具１において、器具本体１００及び取付部材２００は、取付部材２００の引っ掛け部２０１が器具本体１００の貫通孔１１３に引っ掛けられることで二枚貝状に連結されている。
【０１２６】
これにより、簡単な構造で、器具本体１００が二枚貝状に開閉可能となるように器具本体１００と取付部材２００とを連結することができる。
【０１２７】
また、本実施の形態における照明器具１では、器具本体１００における側壁部１１２の第１ネジ孔１１４ａの内側面には、第１ネジ１１６ａが挿入される方向とは反対側に開口径が漸次大きくなるテーパ面が形成されている。また、取付部材２００の第１連結片２２１には、第１連結片２２１の第１ネジ孔２２０ａの周縁から第２ネジ孔１１４ｂに向かって突出する突出部２２０ａ１が形成されている。
【０１２８】
これにより、片持ち状態で開いた状態の器具本体１００を回動して閉じる際に、取付部材２００の第１連結片２２１の突出部２２０ａ１が、器具本体１００の第１ネジ孔１１４ａのテーパ面にならうように嵌め合わされる。これにより、器具本体１００と取付部材２００との位置合わせをセルフアラインで容易に行うことができる。
【０１２９】
また、本実施の形態における照明器具１では、器具本体１００と取付部材２００とを連結する吊りヒモ５００を備えており、吊りヒモ５００は、器具本体１００が取付部材２００に対して開いた状態のときに引っ張り力がかかっている。具体的には、吊りヒモ５００は、器具本体１００が取付部材２００に対して開いた状態のときに引っ張り力がかかる長さとなっている。
【０１３０】
これにより、電線４００に引張力がかかって電線４００が断線したり外れたりすることを防止することができる。また、吊りヒモ５００の長さを変更することで取付部材２００に対する器具本体１００の開き角度を調整することができる。
【０１３１】
（実施の形態２）
次に、実施の形態２に係る照明器具１Ａの構成について、図９〜図１２を用いて説明する。図９は、実施の形態２に係る照明器具１Ａの断面図である。図１０は、同照明器具１Ａの取付部材２００Ａを分解して示す斜視図である。図１１及び図１２は、同照明器具１Ａにおいて器具本体１００が取付部材２００Ａに対して開いた状態を示す図であり、それぞれ、斜視図及び断面図である。なお、図９及び図１２では、照明器具１Ａの断面部分のみを示している。また、図１１及び図１２では、外郭カバー３００を取り付ける前の状態を示しているが、図１２では、さらに外郭カバー３００を省略している。
【０１３２】
図９〜図１２に示すように、本実施の形態における照明器具１Ａは、上記実施の形態１における照明器具１と同様に、器具本体１００と、取付部材２００Ａと、外郭カバー３００とを備える。
【０１３３】
上記実施の形態１における照明器具１は、天井２の天井面２ａに直付け固定されていたのに対して、本実施の形態における照明器具１Ａは、天井２の開口２ｂに設置された引っ掛けシーリング３に接続固定されていている。引っ掛けシーリング３には、電線等によって系統電源と接続されている。
【０１３４】
本実施の形態における照明器具１Ａは、上記実施の形態１における照明器具１に対して、取付部材２００Ａの構成が異なる。具体的には、上記実施の形態１における照明器具１では、取付部材２００が取付板のみによって構成されていたが、本実施の形態における照明器具１Ａでは、取付部材２００Ａは、連結板２１０Ａと、取付カバー２３０と、アダプタ２４０とによって構成されている。連結板２１０Ａと取付カバー２３０とはネジ等によって固定されている。
【０１３５】
連結板２１０Ａは、金属板によって構成されている。連結板２１０Ａは、上記実施の形態における取付部材２００（取付板）と同様の構成であり、開口２１０ａを有する略円板状の平板体２１０と、器具本体１００に連結される第１連結片２２１及び第２連結片２２２とを有する。
【０１３６】
本実施の形態において、器具本体１００は、連結板２１０Ａに対して二枚貝状に連結されている。つまり、器具本体１００は、連結板２１０Ａ及び取付カバー２３０に対して片持ち状態で回動可能に支持されている。
【０１３７】
具体的には、第１連結片２２１には、引っ掛け部２０１が形成されており、器具本体１００及び取付部材２００Ａは、器具本体１００が取付部材２００Ａに対して開いた状態のときに、引っ掛け部２０１が器具本体１００の貫通孔１１３に引っ掛かった状態になることで二枚貝状に連結される。
【０１３８】
また、第１連結片２２１には、第１ネジ１１６ａが挿入される第１ネジ孔２２０ａが設けられている。また、第２連結片２２２には、第２ネジ孔２２０ｂが設けられている。
【０１３９】
取付カバー２３０は、照明器具１の外郭を構成する外郭カバーである。取付カバー２３０は、開口２３１を有する。なお、取付カバー２３０の天井側の面には、ウレタン等で形成されたクッション部材２３２が複数取り付けられている。
【０１４０】
アダプタ２４０は、天井２に設置された引っ掛けシーリング３に器具本体１００を着脱自在に取り付けるための器具取付部材である。アダプタ２４０は、引っ掛けシーリング３に着脱自在に取り付けられる。具体的には、アダプタ２４０には、一対のＬ字金具が設けられており、アダプタ２４０を回転させることによって、この一対のＬ字金具を引っ掛けシーリング３の一対の接続孔に引っ掛けたることで、アダプタ２４０を引っ掛けシーリング３に装着することができる。なお、アダプタ２４０を逆回転させることで、アダプタ２４０を引っ掛けシーリング３から取り外すことができる。アダプタ２４０のＬ字金具は、引っ掛けシーリング３と照明器具１との機械的な接続だけではなく、電気的な接続も兼ねている。つまり、アダプタ２４０を引っ掛けシーリング３に装着することで、アダプタ２４０には系統電源からの交流電力が供給される状態となる。
【０１４１】
また、アダプタ２４０は、取付カバー２３０の開口２３１に着脱自在に取り付けられている。具体的には、アダプタ２４０は、取付カバー２３０の開口２３１に取り付けられたホルダ２３３に着脱自在に装着されている。
【０１４２】
アダプタ２４０に供給された交流電力は、電線４１０によって器具本体１００に給電される。つまり、電線４１０は、天井２を介して供給される電力を伝送する電源線である。電線４１０の一方の端部は、アダプタ２４０と電気的及び機械的に接続されている。具体的には、電線４１０の一方の端部に設けられたコネクタ４１１をアダプタ２４０の差し込み孔に装着することで、電線４１０とアダプタ２４０とを接続することができる。また、電線４１０の他方の端部は、器具本体１００の電源端子台１９０と電気的及び機械的に接続されている。したがって、系統電源の交流電力は、アダプタ２４０、電線４１０及び電源端子台１９０を介して第１駆動ユニット１３０に供給される。
【０１４３】
次に、本実施の形態に係る照明器具１Ａを天井２に取り付ける取り付け方法について説明する。
【０１４４】
照明器具１Ａを天井２に取り付ける際、まず、アダプタ２４０を引っ掛けシーリング３に装着する。具体的には、アダプタ２４０のＬ字金具を引っ掛けシーリング３の接続孔に挿入し、アダプタ２４０を水平回転させることで、Ｌ字金具を引っ掛けシーリング３の接続孔に引っ掛ける。
【０１４５】
次に、器具本体１００と取付部材２００Ａ（連結板２１０Ａ及び取付カバー２３０）とが連結された状態で、取付部材２００Ａを天井２に固定する。具体的には、器具本体１００と取付部材２００Ａ（連結板２１０Ａ及び取付カバー２３０）とを天井２側に押し上げて、取付カバー２３０の開口２３１に取り付けられたホルダ２３３をアダプタ２４０に装着する。これにより、器具本体１００が連結された取付部材２００Ａ（連結板２１０Ａ及び取付カバー２３０）をアダプタ２４０に取り付けることができる。
【０１４６】
この場合、取付部材２００Ａの引っ掛け部２０１が器具本体１００の貫通孔１１３に引っ掛けられているので、器具本体１００は、二枚貝状に開いた状態で回動可能に取付部材２００Ａに仮保持された状態となっている。つまり、器具本体１００は、片側支点で取付部材２００Ａに回動可能に仮保持されている。なお、このとき、器具本体１００の電源端子台１９０には電線４１０が接続された状態となっている。
【０１４７】
次に、器具本体１００の電源端子台１９０に接続された電線４１０をアダプタ２４０に接続する。具体的には、電線４１０のコネクタ４１１をアダプタ２４０の差し込み孔に差し込むことで、電線４１０とアダプタ２４０とを接続する。
【０１４８】
このとき、図１１及び図１２に示されるように、器具本体１００が取付部材２００Ａに対して開いた状態となっているので、電線４１０をアダプタ２４０に容易に接続することができる。しかも、電線４１０をアダプタ２４０に接続する作業を行う際、器具本体１００と取付部材２００Ａとが連結されているので、ユーザが器具本体１００を支えなくても、電線４１０に引張力がかかることを回避できる。
【０１４９】
なお、本実施の形態でも、器具本体１００と取付部材２００とが吊りヒモ５００によって連結されているので、電線４１０に引張力がかかることを防止することができる。
【０１５０】
次に、上記実施の形態１と同様にして、器具本体１００を閉じるように回動することで仮保持状態を解除して器具本体１００を取付部材２００Ａに連結し、第２ネジ孔１１４ｂと第２ネジ孔２２０ｂとに第２ネジ１１６ｂをねじ込むとともに第１ネジ孔１１４ａと第１ネジ孔２２０ａとに第１ネジ１１６ａをねじ込む。これにより、器具本体１００が閉じた状態で、器具本体１００と取付部材２００Ａとを固定することができる。その後、上記実施の形態１と同様にして、器具本体１００に外郭カバー３００を取り付ける。
【０１５１】
以上、本実施の形態における照明器具１Ａでも、器具本体１００が取付部材２００Ａに対して二枚貝状に開閉するように連結されている。
【０１５２】
これにより、天井２に固定された取付部材２００Ａに器具本体１００を固定する際、ユーザが器具本体１００を保持しなくても電線４１０に引張力がかかることを抑制できるとともに、照明器具１を天井２に簡単に設置することができる。
【０１５３】
（実施の形態３）
次に、実施の形態３に係る照明器具１Ｂの構成について、図１３〜図１７を用いて説明する。図１３は、実施の形態３に係る照明器具１Ｂの断面図である。図１４及び図１５は、同照明器具１Ｂの取付部材２００Ｂを分解して示す斜視図であり、それぞれ、床面側から見たときと、床面側とは反対側から見たときの照明器具１Ｂを示している。図１６及び図１７は、同照明器具１Ｂにおいて器具本体１００が取付部材２００Ｂに対して開いた状態を示す図であり、それぞれ、斜視図及び断面図である。なお、図１３及び図１７では、照明器具１Ｂの断面部分のみを示している。また、図１４、図１５及び図１７では、外郭カバー３００は省略している。
【０１５４】
図１３〜図１７に示すように、本実施の形態における照明器具１Ｂは、上記実施の形態１、２における照明器具１、１Ａと同様に、器具本体１００と、取付部材２００Ｂと、外郭カバー３００とを備える。
【０１５５】
本実施の形態における照明器具１Ｂは、上記実施の形態２における照明器具１Ａと同様に、天井２の開口２ｂに設置された引っ掛けシーリング３に接続固定されていている。
【０１５６】
本実施の形態における照明器具１Ｂは、上記実施の形態２における照明器具１Ａに対して、取付部材２００Ｂの構成が異なる。具体的には、上記実施の形態２における照明器具１Ａの取付部材２００Ａと、本実施の形態における照明器具１Ｂの取付部材２００Ｂとは、連結板２１０Ｂの構成が異なる。
【０１５７】
具体的には、本実施の形態における連結板２１０Ｂは、上記実施の形態２における連結板２１０Ａと同様に、第１連結片２２１に引っ掛け部２０２が形成されている。したがって、本実施の形態においても、器具本体１００及び取付部材２００Ｂは、器具本体１００が取付部材２００Ｂに対して開いた状態のときに、引っ掛け部２０２が器具本体１００の貫通孔１１３に引っ掛かった状態になることで二枚貝状に連結される。つまり、器具本体１００は、取付部材２００Ｂ（連結板２１０Ｂ）に対して片持ち状態で回動可能に支持されている。なお、連結板２１０Ｂと取付カバー２３０とは、上記実施の形態２と同様に、ネジ等によって固定されている。
【０１５８】
本実施の形態における引っ掛け部２０２は、上記実施の形態２における引っ掛け部２０１と形状が異なる。具体的には、本実施の形態における引っ掛け部２０２は、上記実施の形態２における引っ掛け部２０１とは折り曲げ方が異なっており、凹部２０２ａと、当接部２０２ｂと、第１板部２０２ｃと、第２板部２０２ｄとを有するように、第１連結片２２１の端部が折り曲げられている。
【０１５９】
凹部２０２ａは、器具本体１００が取付部材２００Ｂに対して開いた状態のときに、貫通孔１１３の内周面を受ける部分である。
【０１６０】
当接部２０２ｂは、器具本体１００が取付部材２００Ｂに対して閉じた状態のときに、側壁部１１２の外面に当接する部分である。
【０１６１】
第１板部２０２ｃは、凹部２０２ａ及び当接部２０２ｂを連結し、凹部２０２ａから一段ずれた位置に形成された部分である。
【０１６２】
第２板部２０２ｄは、凹部２０２ａが貫通孔１１３の内周面を受けているときに、側壁部１１２の端部が当接する部分である。
【０１６３】
なお、本実施の形態では、上記実施の形態１、２と異なり、第２連結片２２２には第２ネジ孔２２０ｂが設けられているが、第１連結片２２１には、ネジ孔が設けられていない。つまり、本実施の形態では、第１ネジ１１６ａが用いられておらず、取付部材２００Ｂ（連結板２１０Ｂ）と器具本体１００とは、第２ネジ１１６ｂの一本のみでネジ止めされている。
【０１６４】
次に、本実施の形態に係る照明器具１Ｂを天井２に取り付ける方法について、図１８を用いて説明する。図１８は、実施の形態３に係る照明器具１Ｂを天井２に取り付ける際における引っ掛け部２０２の動きを説明するための図であり、図１７の破線で囲まれる領域XVIIIの拡大図を示している。
【０１６５】
照明器具１Ｂを天井２に取り付ける際、上記実施の形態２と同様に、まず、アダプタ２４０を引っ掛けシーリング３に装着する。
【０１６６】
次に、上記実施の形態２と同様にして、器具本体１００と取付部材２００Ｂ（連結板２１０Ｂ及び取付カバー２３０）とが連結された状態で、取付部材２００Ｂを天井２に固定する。
【０１６７】
このとき、取付部材２００Ｂの引っ掛け部２０２が器具本体１００の貫通孔１１３に引っ掛けられているので、器具本体１００は、二枚貝状に開いた状態で回動可能に取付部材２００Ａに仮保持されている。
【０１６８】
この場合、図１８（ａ）に示すように、器具本体１００の貫通孔１１３の内周面を凹部２０２ａが受けているとともに、側壁部１１２の先端部が引っ掛け部２０２の第２板部２０２ｄに当接している。これにより、上記実施の形態１、２のように吊りヒモ５００を用いることなく、器具本体１００は、一定の開き角度が維持された状態で取付部材２００に支持される。つまり、本実施の形態では、引っ掛け部２０２によって、器具本体１００が片側支点で取付部材２００Ｂに回動可能に仮保持されている。
【０１６９】
次に、図１６及び図１７に示すように、上記実施の形態２と同様にして、器具本体１００の電源端子台１９０に接続された電線４１０をアダプタ２４０に接続する。このとき、本実施の形態でも、器具本体１００が取付部材２００Ｂに対して開いた状態となっているので、電線４１０をアダプタ２４０に容易に接続することができる。しかも、電線４１０をアダプタ２４０に接続する作業を行う際、器具本体１００と取付部材２００Ｂとが連結されているので、ユーザが器具本体１００を支えなくても、電線４１０に引張力がかかることを回避できる。
【０１７０】
次に、器具本体１００を閉じるように回動する。このとき、図１８（ｂ）に示すように、側壁部１１２を凹部２０２ａから第１板部２０２ｃに移動させて仮保持状態を解除する。そして、貫通孔１１３の内周面が第１板部２０２ｃの表面を摺動させながら器具本体１００を回動させていく。このとき、図１８（ｃ）に示すように、側壁部１１２の外面が当接部２０２ｂに当接することで器具本体１００の回動を停止させることができる。つまり、当接部２０２ｂは、器具本体１００の回動を停止させるストッパとして機能する。側壁部１１２が当接部２０２ｂに当接することによって、器具本体１００と取付部材２００とが所定の位置で連結する。つまり、当接部２０２ｂによって器具本体１００と取付部材２００との位置合わせを行うことができる。
【０１７１】
次に、器具本体１００と取付部材２００Ｂとを第２ネジ１１６ｂによってネジ止めにより固定する。具体的には、第２ネジ孔１１４ｂと第２ネジ孔２２０ｂとに第２ネジ１１６ｂをねじ込む。これにより、器具本体１００が閉じた状態で、器具本体１００と取付部材２００Ｂとを固定することができる。その後、上記実施の形態２と同様にして、器具本体１００に外郭カバー３００を取り付ける。
【０１７２】
以上、本実施の形態における照明器具１Ｂでも、器具本体１００が取付部材２００Ｂに対して二枚貝状に開閉するように連結されている。
【０１７３】
これにより、天井２に固定された取付部材２００Ｂに器具本体１００を固定する際、ユーザが器具本体１００を保持しなくても電線４１０に引張力がかかることを抑制できるとともに、照明器具１を天井２に簡単に設置することができる。
【０１７４】
なお、本実施の形態における引っ掛け部２０２の構造は、実施の形態１における照明器具１にも適用してもよい。
【０１７５】
（変形例）
以上、本発明について実施の形態に基づいて説明したが、本発明は、上記実施の形態に限定されるものではない。
【０１７６】
例えば、上記実施の形態において、イオン生成ユニット１６０は、イオンとしてナノイーを放出したが、これに限るものではなく、プラズマイオン等のその他のイオンを放出してもよいし、ナノイーとプラズマイオン等との複数種のイオンを同時に又は交互に放出してもよい。
【０１７７】
また、上記実施の形態において、光源１２０はＣＯＢタイプのＬＥＤモジュールとしたが、これに限るものではない。例えば、光源１２０として、ＳＭＤタイプのＬＥＤモジュールを用いてもよい。ＳＭＤタイプのＬＥＤモジュールは、樹脂製のパッケージ（容器）の凹部の中にＬＥＤチップを実装して当該凹部内に封止部材（蛍光体含有樹脂）を封入したパッケージ型のＬＥＤ素子（ＳＭＤタイプのＬＥＤ素子）を、１個又は複数個、基板に実装した構成である。
【０１７８】
その他、上記各実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【０１７９】
１、１Ａ、１Ｂ  照明器具
２  天井（造営材）
３  引っ掛けシーリング
１００  器具本体
１１０  支持本体
１１１  支持部
１１２  側壁部
１１３  貫通孔
１１４ａ  第１ネジ孔
１１４ｂ  第２ネジ孔
１１６ａ  第１ネジ
１１６ｂ  第２ネジ
１２０  光源
１３０  第１駆動ユニット
１６０  イオン生成ユニット
１７１  送風ファン
１８０  第２駆動ユニット
２００、２００Ａ  取付部材
２０１、２０２  引っ掛け部
２０２ａ  凹部
２０２ｂ  当接部
２０２ｃ  第１板部
２０２ｄ  第２板部
２２０ａ  第１ネジ孔
２２０ａ１  突出部
２２０ｂ  第２ネジ孔
２２１  第１連結片
２２２  第２連結片
２３０  取付カバー
２４０  アダプタ
４００、４１０  電線
４１１  コネクタ
５００  吊りヒモ
【図１】
2018133257.tif 000003
【図２】
2018133257.tif 000004
【図３】
2018133257.tif 000005
【図４】
2018133257.tif 000006
【図５】
2018133257.tif 000007
【図６】
2018133257.tif 000008
【図７】
2018133257.tif 000009
【図８】
2018133257.tif 000010
【図９】
2018133257.tif 000011
【図１０】
2018133257.tif 000012
【図１１】
2018133257.tif 000013
【図１２】
2018133257.tif 000014
【図１３】
2018133257.tif 000015
【図１４】
2018133257.tif 000016
【図１５】
2018133257.tif 000017
【図１６】
2018133257.tif 000018
【図１７】
2018133257.tif 000019
【図１８】
2018133257.tif 000020